【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
それぞれが対応する光線を放射するよう動作可能な複数の光エミッタと、
複数の平行光線の近く離間されたアレイを提供するべく、複数の前記光線の方向を変えるよう配置される１つ又は複数のミラーと、
複数の平行光線の前記近く離間されたアレイにより照明され、動的に行先指定可能な集束要素であって、前記複数の平行光線の近く離間されたアレイにおける複数の前記光線のうちの１つにそれぞれが対応する複数の光のパッチのアレイにより実質的に覆われるアクティブエリアを有する動的に行先指定可能な集束要素と
を備える
光源。
【請求項２】
複数の平行光線の前記近く離間されたアレイは、長さ及び幅を有する２次元アレイであり、前記長さ及び前記幅の両方とも前記複数の光のパッチのうちの何れの長さ及び幅より大きい、請求項１に記載の光源。
【請求項３】
前記１つ又は複数のミラーは、複数の平行ナイフエッジ状のミラーの第１セットと、複数の平行ナイフエッジ状のミラーの前記第１セットの複数のナイフエッジ状の前記ミラーに対して横断方向に配向される複数の平行ナイフエッジ状のミラーの第２セットとを有する、請求項１又は２に記載の光源。
【請求項４】
前記１つ又は複数のミラーは、円形対称の面を含む少なくとも１つのミラーを有し、前記複数の光エミッタは、対応する複数の前記光線を、前記１つのミラーの前記円形対称の面へ放射状に向けるように方向付けするよう配置され、前記ミラーは、複数の前記光線の方向を、前記１つのミラーの対称軸に平行する方向に進むように変えるよう動作する、請求項１又は２に記載の光源。
【請求項５】
前記１つのミラーの前記円形対称の面は、円錐面である、請求項４に記載の光源。
【請求項６】
前記１つのミラーの前記円形対称の面は、放物面である、請求項４に記載の光源。
【請求項７】
複数の前記光源は、少なくとも第１グループ及び第２グループに配置され、前記第１グループの複数の前記光源は、前記対称軸に沿って第１距離に配置され、前記第２グループの複数の前記光源は、前記対称軸に沿って前記第１距離と異なる第２距離に配置される、請求項４から６の何れか一項に記載の光源。
【請求項８】
前記１つ又は複数のミラーと前記動的に行先指定可能な集束要素との間に複数の縮小光学素子を備える請求項１から７の何れか一項に記載の光源。
【請求項９】
前記複数の縮小光学素子は、複数の平行光線の前記近く離間されたアレイにより覆われる断面積を、少なくとも４分の１に低減させる、請求項８に記載の光源。
【請求項１０】
前記複数の縮小光学素子は、第１及び第２レンズを含む、請求項８又は９に記載の光源。
【請求項１１】
前記複数の光エミッタは、偏光を放射し、前記複数の光エミッタ及び前記１つ又は複数のミラーは、前記複数の光のパッチの複数の偏光方向が実質的に同じとなるように配置される、請求項１から１０の何れか一項に記載の光源。
【請求項１２】
複数の前記光線に沿った前記複数の光エミッタのそれぞれから前記動的に行先指定可能な集束要素の前記アクティブエリアまでの複数の経路長が、実質的に等しい、請求項１から１１の何れか一項に記載の光源。
【請求項１３】
前記動的に行先指定可能な集束要素は、位相変調器を含む、請求項１から１２の何れか一項に記載の光源。
【請求項１４】
前記動的に行先指定可能な集束要素は、変形可能なミラーを含む、請求項１から１２の何れか一項に記載の光源。
【請求項１５】
前記動的に行先指定可能な集束要素は、複数のマイクロメカニカル式走査ミラーのアレイを含む、請求項１から１２の何れか一項に記載の光源。
【請求項１６】
画像位置において所望の光パターンを生成するべく、前記動的に行先指定可能な集束要素を駆動するよう接続される制御システムを備える請求項１から１５の何れか一項に記載の光源。
【請求項１７】
前記制御システムは、複数の前記光線のうちの、ずれている１つに対する前記光のパッチに対応するエリアを駆動し、前記光線の前記ずれを補償する、請求項１６に記載の光源。
【請求項１８】
前記制御システムは、前記所望の光パターンに基づいて決定された焦点距離を有するレンズをエミュレートするべく、前記複数の光のパッチのそれぞれに対応する前記アクティブエリアの複数の部分を駆動する、請求項１６又は１７に記載の光源。
【請求項１９】
前記制御システムは、前記所望の光パターンに基づいて決定された傾斜方向と傾斜とを有するプリズムをエミュレートするべく、前記複数の光のパッチのそれぞれに対応する前記アクティブエリアの複数の部分を駆動する、請求項１６から１８の何れか一項に記載の光源。
【請求項２０】
前記制御システムは、前記複数の光のパッチに対応する複数の前記光線の方向を光ダンプへ変えるべく、前記複数の光のパッチのうちの１つ又は複数に対応する前記アクティブエリアの複数の部分を選択的に駆動する、請求項１６から１９の何れか一項に記載の光源。
【請求項２１】
前記制御システムは、前記複数の光エミッタの複数の強度を制御する、請求項１６から１９の何れか一項に記載の光源。
【請求項２２】
前記制御システムは、前記複数の光エミッタの前記複数の強度を個別に制御する、請求項２１に記載の光源。
【請求項２３】
前記複数の光エミッタは、複数の固体光エミッタを含む、請求項１から２２の何れか一項に記載の光源。
【請求項２４】
前記複数の光エミッタは、複数のレーザを含む、請求項１から２３の何れか一項に記載の光源。
【請求項２５】
前記複数のレーザは、複数のレーザダイオードを含む、請求項２４に記載の光源。
【請求項２６】
前記複数のレーザは、５００ｍＷ以上の光パワー出力を有する、請求項２４又は２５に記載の光源。
【請求項２７】
前記複数のレーザダイオードは、複数の離間されたレーザダイオードを含む少なくとも１つのレーザダイオードバーにより、提供される、請求項２５に記載の光源。
【請求項２８】
前記複数のレーザダイオードは、複数の前記レーザダイオードバーにより、提供される、請求項２７に記載の光源。
【請求項２９】
前記複数の光エミッタにより放射される複数の前記光線は、発散し、前記光源は、複数の前記光線のそれぞれに対する複数のコリメート光学素子を備える、請求項１から２８の何れか一項に記載の光源。
【請求項３０】
前記複数のコリメート光学素子は、１つの軸上のみ動作し、複数の前記光線は、前記１つの軸に垂直な第２の軸上に発散する、請求項２９に記載の光源。
【請求項３１】
前記複数の光エミッタは、速軸及び遅軸を有し、前記速軸及び前記遅軸の両方の上に、放射された複数の前記光線が異なって発散し、前記複数のコリメート光学素子は、前記速軸及び前記遅軸の両方の上に複数の前記光線をコリメートする、請求項２９に記載の光源。
【請求項３２】
前記複数の光のパッチは、互いに重ならない、記請求項１から３１の何れか一項に記載の光源。
【請求項３３】
前記複数の光のパッチは、前記アクティブエリアの少なくとも６５％をカバーする、請求項３２に記載の光源。
【請求項３４】
前記動的に行先指定可能な集束要素の前記アクティブエリアと相互作用している光により照明される空間光変調器を備える請求項１から３３の何れか一項に記載の光源。
【請求項３５】
前記空間光変調器は、ＬＣＤパネルを含む、請求項３４に記載の光源。
【請求項３６】
前記空間光変調器は、ＤＭＤを含む、請求項３４に記載の光源。
【請求項３７】
前記複数の光エミッタのためのドライバを備え、前記ドライバは、複数の光のパルスを放射するよう前記複数の光エミッタを動作させる、請求項３６に記載の光源。
【請求項３８】
前記複数の光エミッタのための前記ドライバは、前記複数の光エミッタの複数の前記パルスを、前記ＤＭＤのミラーフリップサイクルと同期化させる、請求項３７に記載の光源。
【請求項３９】
前記複数の光エミッタのための前記ドライバは、前記複数の光エミッタがオンにされる複数の時間を重ならないようにずらす、請求項３７に記載の光源。
【請求項４０】
前記複数の光エミッタのための前記ドライバは、ミラーフリップサイクルの周波数より著しく高い周波数で前記複数の光のパルスを放射するよう前記複数の光エミッタを動作させる、請求項３７又は３９に記載の光源。
【請求項４１】
前記ＤＭＤのための光ダンプに位置される光学検出器と、ミラータイミング復元回路とを有する同期信号発生器を備え、前記ＤＭＤの複数のミラーフリップを検出し、検出された前記複数のミラーフリップに基づいて同期信号を発生させる、請求項３８に記載の光源。
【請求項４２】
前記複数の光エミッタは、僅かに異なる複数の波長の光を放射する、請求項１から４１の何れか一項に記載の光源。
【請求項４３】
前記複数の光のパッチはそれぞれ、コヒーレント光を含む、請求項１から４２の何れか一項に記載の光源。
【請求項４４】
前記複数の光エミッタを、所望の動作範囲内の温度まで温めるよう接続されるヒータを備える請求項１から４３の何れか一項に記載の光源。
【請求項４５】
前記ヒータは、ヒートポンプを含む、請求項４４に記載の光源。
【請求項４６】
前記ヒートポンプは、前記複数の光エミッタを加熱又は冷却するよう選択的に動作可能である、請求項４５に記載の光源。
【請求項４７】
前記ヒートポンプは、ペルチェ式デバイスを含む、請求項４６に記載の光源。
【請求項４８】
複数の前記光線に沿った前記複数の光エミッタから前記１つ又は複数のミラーまでの複数の距離が、複数の前記光線に沿った前記１つ又は複数のミラーから前記動的に行先指定可能な集束要素の前記アクティブエリアまでの複数の距離と比較して大きい、請求項１から４７の何れか一項に記載の光源。